(57)【要約】【課題】画質劣化の原因となる不要光の反射を防止し、画質の劣化が抑制された反射部材を含む光学機器を提供する。【解決手段】光学機器は、入射光の光路を折り曲げるための反射面を有する反射部材を含む光学系と、光学系を保持する保持部材と、反射部材の反射面に対応する範囲の保持部材の内面に、所定の形状を有する構造単位が入射光の最短波長よりも小さいピッチで周期的にアレイ状に配列された反射防止構造体を備えることにより不要光の反射を防止する。【選択図】図２
2007133314.tif 000002
【特許請求の範囲】
【請求項１】
入射光の光路を折り曲げるための反射面を有する反射部材を含む光学系と、
前記光学系を保持する保持部材と、
前記反射部材の前記反射面に対応する範囲の保持部材の内面に、所定の形状を有する構造単位が入射光の最短波長よりも小さいピッチで周期的にアレイ状に配列された反射防止構造体とを備える、光学機器。
【請求項２】
前記光学系は、被写体の光学的な像を形成する撮像光学系であり、
前記保持部材は、前記撮像光学系を保持するレンズ鏡筒であり、
さらに、前記撮像光学系により形成された光学的な像を電気的な画像信号に変換する撮像素子を備え、
前記撮像光学系は、被写体光の光軸を略９０度に折り曲げて反射させる反射面を有する反射部材を含み、
前記反射部材の前記反射面に対応する範囲のレンズ鏡筒の内面に前記反射防止構造体を備える、請求項１に記載の光学機器。
【請求項３】
前記撮像光学系は、複数のレンズ群を光軸方向に移動させることによりズーミングを行うズーム光学系である、請求項２に記載の光学機器。
【請求項４】
前記光学系は、被写体の光学的な像を観察者の瞳に導くファインダ光学系であり、
前記保持部材は、前記ファインダ光学系を保持するファインダ保持部材であり、
さらに、前記ファインダ光学系は、入射した光の光軸を略９０度に折り曲げて反射させる反射面を有する反射部材を含み、
前記反射部材の各前記反射面に対応する範囲の保持部材の内面に、前記反射防止構造体を備えることを特徴とする、請求項１に記載の光学機器。
【請求項５】
前記反射部材は、前記被写体の光軸を折り曲げるための少なくとも１つの全反射面を有する全反射プリズムで構成され、
前記プリズムの全反射面に対応する範囲のファインダ保持部材の内面に、前記反射防止構造体を備えることを特徴とする、請求項１に記載の光学機器。
【請求項６】
前記全反射プリズムの全反射面は、前記全反射プリズム内に入射する被写体光のうち、全反射面への入射角が略４５度以上となる被写体光に対して全反射条件を満足することを特徴とする、請求項５に記載の光学機器。
【請求項７】
前記反射防止構造体の構造単位が、略錐形状、略円形状、略矩形状、略正六角形状のいずれかが選択される突出形状及び／又は陥没形状を有することを特徴とする、請求項１に記載の光学機器。
【発明の詳細な説明】
【技術分野】
【０００１】
本発明は、反射部材を含む光学機器に関し、特定的には反射防止構造体を有する光学機器に関する。
【背景技術】
【０００２】
近年、被写体の光学的な像を電気的な画像信号に変換して出力可能なデジタルスチルカメラ（以下、単にデジタルカメラという）が急速に普及している。特に最近では、高倍率ズームのデジタルカメラが要望される一方、さらに小型化・薄型化されたコンパクトなカメラが要望されている。
【０００３】
このような要望に対して、反射部材を含む光学系を備えたデジタルカメラが知られている。図６（ａ）は、デジタルカメラ５００の概略構成図、図６（ｂ）は概略断面図である。デジタルカメラ５００は、レンズ鏡筒５１０と、開口部５１１と、撮像素子５２０と、光学式ファインダ５３０とを備え、被写体から開口部５１１に入射する被写体光を電気的な画像信号に変換し出力する。レンズ鏡筒５１０は、撮影光学系と撮像素子５２０とを保持し、デジタルカメラ５００本体内に配置される。撮影光学系は、被写体側から順に、最物体側レンズ群と、反射部材５１５と、像側レンズ群とを有する。反射部材５１５は、少なくとも１つの反射面を有し、反射面には反射膜が施された、例えば直角プリズムである。図６（ｂ）中、Ｚ軸方向から反射部材５１５に入射した被写体光は、反射面で全反射され、入射した光の光軸を下方（Ｙ軸方向）に折り曲げる。折り曲げられた被写体光は、像側レンズ群により撮像素子５０２上に集束され、被写体の光学的な像が形成される。このように、撮影光学系の一部をＹ軸方向に配置することにより、デジタルカメラ本体の奥行き方向（Ｚ軸方向）の厚みを薄くすることができ、小型化されたデジタルカメラを提供することができる。
【０００４】
上述のようにＺ軸方向から反射部材５１５に入射する被写体光の多くは、反射面で全反射されるが、残りの一部の光は反射面を透過する。反射面を透過した光は、レンズ鏡筒の内面でさらに反射され、内面反射光として撮像素子５２０に入射する。このような内面反射光は、撮像に関与しないフレアやゴーストを発生させ、得られる画像の画質を劣化させる。
【０００５】
そこでレンズ鏡筒の内面に、段差や反射する角度を考慮した傾斜ならびに梨地加工することにより、内面反射光が撮像面に到達することを防止する技術が知られている。また、入射光の光軸を折り曲げる方法として、直角プリズムの反射面にアルミ蒸着を施して金属反射により反射させる方法が知られている。
【０００６】
さらに特許文献１には、入射光の光軸を折り曲げるための反射面を有する光学素子が提案されている。特許文献１に記載の光学素子は、反射面の裏面側に遮光の役割を果たす保護部材を備える。特許文献１は、この保護部材により、光学素子に入射する光が反射面を透過することを防止し、不要光によるフレアやゴーストを効果的に低減できるとしている。
【特許文献１】特開平１０−６８８８５号公報
【発明の開示】
【発明が解決しようとする課題】
【０００７】
しかしながら、レンズ鏡筒の内面に段差や傾斜、梨地加工した場合でも、入射光は、鏡筒内の部品により複雑な方向へ反射されるため、反射を十分に低減させることが困難である。また、直角プリズムの反射面にアルミ蒸着を施して金属反射により反射させる方法では、入射光が反射面を透過することを防止することができるが、反射率は低くなるため、十分な被写体光を得ることができないという問題があった。
【０００８】
また、特許文献１に記載された光学素子では、光学素子に入射する光のうち、全反射条件を満たさない光に対しては、十分な遮光効果が得られないという問題があった。以下、特許文献１に記載された光学素子を備えるレンズ鏡筒について説明する。図７は、図６（ｂ）のレンズ鏡筒５１０のうちＥ部を拡大した図である。なお図７中、直角プリズム５１５は、特許文献１に記載された光学素子に相当し、その反射面の裏面側に保護部材６００が形成されている。なお図７は、直角プリズム５１５の位置を分かりやすくするためにレンズ鏡筒５１０の一部を省略して記載している。
【０００９】
図７において直角プリズム５１５に入射する光は、直角プリズム５１５の反射面にて全反射され、その光軸ＡＸ１は略９０度に折り曲げられる。このとき、反射面の裏面に形成された保護部材６００は、光の透過を防止する。しかしながら、図７に示すように被写体像の形成に寄与しない軸外光（光軸ＡＸ２）は、直接、直角プリズム５１５の反射面に到達せず、直角プリズム５１５の側面で反射したあと反射面に入射する。かかる入射光は、反射面に対する入射角度が小さく、全反射条件を満たさないため、反射面を透過してレンズ鏡筒５１０の内面に到達したあと、内面反射光としてフレアやゴーストを発生させる。このように、特許文献１に記載の光学素子は、全反射条件を満たさない光に対しては保護部材６００による遮光の効果を十分に得ることができないという問題があった。
【００１０】
また、特許文献１に記載された光学素子は、ゴーストやフレアの発生を抑制するために、反射面に保護部材を新たに付加するものである。そのため、特許文献１に記載された光学部材は、部品点数、組立工数およびコストを増大させ、また量産性も低下するという問題があった。
【００１１】
そこで、本発明の目的は、画質劣化の原因となる不要光の反射を防止し、画質の劣化が抑制された光学機器を提供することにある。
【課題を解決するための手段】
【００１２】
本発明の目的は、以下の構成を備えた光学機器によって達成される。入射光の光路を折り曲げるための反射面を有する反射部材を含む光学系と、光学系を保持する保持部材と、反射部材の反射面に対応する範囲の保持部材の内面に、所定の形状を有する構造単位が入射光の最短波長よりも小さいピッチで周期的にアレイ状に配列された反射防止構造体を備える。
【００１３】
この構成により、保持部材の内面には反射防止構造体が形成されているので、光学機器に入射する光が保持部材の内面で反射することを防止できる。これにより、光学系により形成される被写体像の画質の劣化を抑制することができる。
【００１４】
またこの構成により、保持部材と反射防止構造体とは一体成形が可能であるので、部品点数、コストを増大させず、また量産性を低下させることなく、画質の劣化を抑えた光学機器を提供することができる。
【発明の効果】
【００１５】
本発明によれば、画質劣化の原因となる不要光の反射を防止し、画質の劣化が抑制された光学機器を提供することができる。
【発明を実施するための最良の形態】
【００１６】
（実施の形態１）
図１は、本実施の形態に係るデジタルカメラ１の概略斜視図である。また図２は、デジタルカメラ１に含まれるレンズ鏡筒１００の構成を示す概略図である。図２（ａ）〜図２（ｄ）は、レンズ鏡筒１００の上面図、正面図、底面図、側面図をそれぞれ表している。なお、実施の形態の全ての図において、被写体光の光軸に平行な方向をｚ方向とし、このｚ方向に垂直な方向でかつ水平方向をｘ方向、さらにｚ方向およびｘ方向に垂直な方向をｙ方向としている。
【００１７】
図１においてデジタルカメラ１は、光学式ファインダ２と、シャッターボタン３と、ストロボ発光部４と、開口部５と、レンズ鏡筒１００と、撮像素子１１０とを中心に構成される。デジタルカメラ１の内部には、レンズ鏡筒１００と撮像素子１１０とがｙ方向に配置される。
【００１８】
図２（ｄ）に示すようにレンズ鏡筒１００は、その内部にズーム光学系Ｌと撮像素子１１０とを保持する。撮像素子１１０は、ＣＣＤ（Ｃｈａｒｇｅ  Ｃｏｕｐｌｅｄ  Ｄｅｖｉｃｅ）であり、ズーム光学系Ｌが形成する光学的な像を電気的な画像信号に変換する。なお、撮像素子はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）またはＭＯＳセンサでもよい。
【００１９】
ズーム光学系Ｌは、被写体側から順に、最物体側レンズ群Ｌ１と反射光学ユニットＬ２と像側レンズ群Ｌ３とから構成される。ズーム光学系Ｌは、各レンズ群を光軸方向に移動させることにより、ズーミングおよびフォーカシングを行い、撮像素子１１０上に被写体の光学的な像を形成する。
【００２０】
最物体側レンズ群Ｌ１は、複数のレンズ素子を含み、入射した被写体光を反射光学ユニットＬ２へ導く。最物体側レンズ群Ｌ１を構成する各レンズ素子は、Ｚ軸方向に沿って配置される。反射光学ユニットＬ２は、直角プリズム１５０と複数のレンズ素子とを含む。ここで直角プリズム１５０は、被写体からの光を反射面の内面で反射させ、その光軸を略９０度に折り曲げる反射部材である。直角プリズム１５０は、反射面に反射膜が施され、Ｚ軸方向から入射した光の光軸を全反射により−Ｙ軸方向に折り曲げる。
【００２１】
像側レンズ群Ｌ３は、複数のレンズ素子を含み、反射光学ユニットＬ２により反射された被写体光を撮像素子１１０上に集光する。像側レンズ群Ｌ３を構成する各レンズ素子は、Ｙ軸方向に沿って配置され、その光軸は直角プリズム１５０の反射面に対して略４５度の角度を成している。このようにズーム光学系Ｌは、反射光学ユニットＬ２を備えることにより、ズーム光学系の一部をＹ軸方向に配置することができるので、カメラ本体の薄型化・小型化を図ることができる。なお、上述のズーム光学系の配置は一例であり、例えば直角プリズム１５０はＺ軸方向から入射した光の光軸をＸ軸方向に反射するように配置してもよい。かかる場合、像側レンズ群Ｌ３および撮像素子１１０はＸ軸方向に沿って配置される。
【００２２】
次に、反射光学ユニットＬ２の詳細な構成について説明する。図３（ａ）および図３（ｂ）は、反射光学ユニットＬ２を保持するレンズ鏡筒１００の概略拡大図である。レンズ鏡筒１００は、その内部に直角プリズム１５０を含む反射光学ユニットＬ２を保持し、物体側には入射口２０１と、像側には射出口２０２が設けられている。なお、図３では直角プリズム１５０の位置を分かりやすくするために、直角プリズム１５０以外の構成要素およびレンズ鏡筒１００の一部を省略している。
【００２３】
図３（ａ）に示すように、入射口２０１から入射した光は、直角プリズム１５０の反射面に対して略４５度の入射角度で入射する。反射面に入射した光は、その多くが全反射され、残りの一部の光は、反射面を透過する。全反射された光は、射出口２０２を経て像側レンズ群Ｌ３に導かれ、撮像素子１１０上に被写体の光学的な像を形成する。一方、直角プリズム１５０の反射面で反射されずに透過した光は、レンズ鏡筒１００の内面に到達する。そこで、本実施の形態では、レンズ鏡筒１００の内面に到達した光による内面反射光の発生を防止するために、反射面に対応する範囲のレンズ鏡筒１００の内面に後述する反射防止構造体２００を形成している。
【００２４】
また、被写体像の形成に寄与しない軸外光が反射光学ユニットＬ２に入射する場合も同様に内面反射光の発生原因となる。すなわち図３（ｂ）に示すように、反射光学ユニットＬ２に入射する軸外光は、直接直角プリズム１５０の反射面に到達せず、側面で反射したあと反射面に入射する。かかる入射光は、入射角度が小さいために全反射条件を満たさない。このため、全反射条件を満たさない入射光は、反射面を透過し、レンズ鏡筒１００の内面に到達する。そこで本実施の形態では内面反射光の発生を防止するために、反射面に対応する範囲のレンズ鏡筒の内面に反射防止構造体２００を形成している。
【００２５】
次に、レンズ鏡筒１００内面に形成される反射防止構造体２００について説明する。図４は、レンズ鏡筒１００の内面に反射防止構造体２００が形成された反射光学ユニットＬ２を示す図である。図４（ａ）は反射光学ユニットＬ２の概略断面図、図４（ｂ）はＡ部を拡大して示した拡大図、さらに図４（ｃ）はＢ部の拡大図である。
【００２６】
図４（ａ）〜図４（ｃ）に示すように、内面反射光の発生を防止するために、直角プリズム１５０の反射面に対応する範囲のレンズ鏡筒の内面（図４（ａ）中の斜線部分に相当する）には、反射防止構造体２００が形成されている。ここで反射防止構造体とは、所定の形状を有する構造単位が、入射光の波長の下限値よりも小さいピッチ、すなわち入射光の最短波長よりも小さいピッチＰで周期的にアレイ状に配列されたものである。このように所定の形状を有する構造単位を周期的にアレイ状に配列させることによって、入射光に対して、見かけ上屈折率を連続的に変化させ、空気層との界面での透過／反射特性の入射角依存性及び波長依存性が少ない反射防止機能面を形成させることができる。
【００２７】
また、反射防止構造体とは、反射を低減すべき光の反射を防止するために、表面に微細構造が形成された部材を意味し、反射を低減すべき光を完全に反射させない態様だけではなく、所定波長の反射を低減すべき光の反射を防止する効果を有する態様も含むものである。本実施形態に用いることができる反射防止構造体としては、例えば図４（ｃ）の概略拡大図に示すような、高さＨの円錐形状の突起を構造単位とし、これら円錐形状の突起がピッチＰで周期的にアレイ状に配列された構造体があげられる。
【００２８】
なおピッチとは、反射防止構造体２００が多数の微細構造単位の二次元的な配列により構成されている場合には、最も密な配列方向におけるピッチを意味する。
【００２９】
構造単位のピッチＰは、反射防止構造体中、一配列方向において実質上略一定であり、入射光の最短波長よりも小さければよいが、界面での透過／反射特性の入射角依存性及び波長依存性をより一層低減させることができるという点から、かかるピッチＰは０．１μｍから１μｍ程度であることが好ましく、より好ましくは、０．１μｍから０．５μｍ程度である。
【００３０】
また、構造単位の高さＨには特に限定がなく、反射防止構造体中、全ての構造単位の高さＨが必ずしも一定でなくてもよいが、かかる高さＨが高いほど、入射光に対する反射防止機能が向上するという利点がある。したがって高さＨは、ピッチＰの等倍から１０倍程度が好ましく、より好ましくは２倍から３倍程度である。
【００３１】
このような反射防止構造体２００は、レンズ鏡筒１００と一体成形されてもよいし、反射防止構造体２００を有する光吸収部材をレンズ鏡筒１００の内面に設置してもよい。例えば、光吸収部材として、反射防止構造体２００を有するシートは、以下のようにして製造することができる。すなわち、まず、反射防止構造体２００と同一の形状に精密加工されたマスター型を用いて、加熱軟化したガラスをプレス成形することにより、ガラスからなる反射防止構造体成形用金型を作製する。さらに、この成形用金型を用いて、樹脂をプレス成形することにより、反射防止構造体を有するシートを製造することができる。一方、反射防止構造体２００とレンズ鏡筒とを一体成形する場合には、例えば以下のようにして製造することができる。すなわち、反射防止構造体２００と同一形状に精密加工された高精度のマスター型あるいは半導体プロセスで加工された金型を用いて、樹脂を射出成形して作製される。これにより、反射防止構造体２００を備えるレンズ鏡筒を安価でかつ大量に製造することができる。この際、光吸収部材またはレンズ鏡筒の材料となる樹脂に、黒色塗料等を含有させることにより、光吸収効果をさらに高めることができる。
【００３２】
なお、反射防止構造体２００として構造単位が円錐形状の構造体を用いたが、必ずしもこのような形状の構造体に限定されるものではない。例えば構造単位が正六角錐形状や、四角錐形状などの角錐形状の構造体であってもよい。また、かかる構造単位の形状は必ずしも錐状に限定されるものでもなく、先端が丸くなっている釣鐘状であっても、円錐台形状や角錐台形状などの錐台状であってもよい。また、各構造単位は厳密な幾何学的な形状である必要はなく、実質的に錐状、釣鐘状、錐台状などであればよい。また反射防止構造体２００は、少なくとも、入射光の波長よりも小さいピッチで形成されていればよい。
【００３３】
以上説明したように、本実施の形態に係るデジタルカメラは、直角プリズム等の反射部材を保持するレンズ鏡筒の内面に反射防止構造体を設けているので、反射部材を透過してレンズ鏡筒の内面に到達する光や、入射角度が全反射条件を満たさずレンズ鏡筒の内面に到達する光による内面反射光の発生を防止することができる。したがって、内面反射光によるフレアやゴーストの発生を防止することができ、光学系により形成される被写体像の画質の劣化を抑制したデジタルカメラを実現できる。
【００３４】
また、本実施の形態に係るデジタルカメラに含まれるレンズ鏡筒は、金型を用いて反射防止構造体とともに一体成形することができるので、反射率の低いレンズ鏡筒を容易に作製することが可能である。したがって、部品点数が増加せず、量産性にも優れたデジタルカメラを提供することができる。
【００３５】
なお、本実施の形態において、撮影光学系はズーム光学系を含んだが、これに限られない。固定焦点のレンズであっても同様の効果を得ることができる。
【００３６】
（実施の形態２）
次に、実施の形態２に係る光学式ファインダについて、図５の概略構成図を参照しながら説明する。ここで光学式ファインダ２は、被写体の光学的な像を撮影者の瞳に導く光学系であり、実施の形態１の光学式ファインダとほぼ同様の構成を備えるが、光学式ファインダ２を保持する保持部材３１０の内面に反射防止構造体２００が形成されている点で異なる。
【００３７】
図５（ａ）は、光学式ファインダ２の構成を示す概略図、図５（ｂ）は保持部材により保持された光学式ファインダ２の構成を示す概略図である。図５（ａ）中、光学式ファインダ２は、光学式ファインダ２に入射する被写体像を反転させるためのポロプリズム３０２と、被写体像をポロプリズムに取り込むための第１光学系３０１と、ポロプリズムにより折り曲げられた光を撮影者の網膜上に結像するための第２光学系３０３とから構成される。また、図５（ｂ）に示すように、光学式ファインダ２は保持部材３１０により保持される。なお、図５（ｂ）ではポロプリズム３０２の位置を分かりやすくするために保持部材の一部を省略している。
【００３８】
図５（ａ）中、光学式ファインダ２に入射する被写体光は、第１光学系３０１によりポロプリズム３０２に取り込まれる。ポロプリズム３０２は、第１〜第４の反射面３０２ａ〜３０２ｄを有し、それぞれの反射面にて入射した光を全反射させて、入射する光の光軸をそれぞれ略９０度に折り曲げて、第２光学系３０３に導く。そして第２光学系３０３は、被写体の光学的な像を撮影者の網膜上に形成する。ここで、実施の形態１の直角プリズム１１５の場合と同様に、ポロプリズム３０２の各反射面に入射するの多くは、反射面で全反射されるが、残りの一部の光は、反射面を透過して保持部材３１０の内面に到達する。また、全反射条件を満たさない角度でポロプリズムの反射面に入射した軸外光についても同様に、保持部材の内面に到達する。
【００３９】
そこで、本実施の形態では保持部材に到達した光が保持部材の内面で反射して、フレアやゴーストを発生させることを防止するために、保持部材３１０の内面に反射防止構造体２００を形成している。すなわち、反射防止構造体２００は、ポロプリズム３０２の反射面３０２ａ〜３０２ｄに対応する範囲の保持部材３１０の内面に形成される。これにより、撮影者により観察される画像の画質の劣化が抑制された光学式ファインダを実現できる。なお、反射防止構造体２００の構成は、実施の形態１の反射防止構造体と同様であるので、ここでは説明を省略する。
【００４０】
以上説明したように、本実施の形態に係る光学式ファインダは、光学式ファインダを保持する保持部材に反射防止構造体を設けているので、反射部材を透過してファインダ保持部材の内面に到達する光や、入射角度が全反射条件を満たさず保持部材の内面に到達する光による内面反射光の発生を防止する。したがって、光学式ファインダを通して観察される画像の画質の劣化を抑制することができる。
【００４１】
また、本実施の形態に含まれる光学式ファインダを保持する保持部材は、金型を用いて反射防止構造体とともに一体成形することができるので、反射率の低い保持部材を容易に作製することが可能である。したがって、部品点数が増加せず、量産性にも優れた光学式ファインダを備えたデジタルカメラを提供することができる。
【００４２】
なお、本実施の形態において、反射防止構造体はデジタルカメラに構成される光学式ファインダの保持部材に形成されたが、これに限られない。例えば、撮像素子を用いたデジタルカメラに限られず、銀塩フィルムでの撮影を行うカメラにおいても同様の効果を得ることができる。またさらに、双眼鏡や望遠鏡などの観察光学系に用いても同様の効果を得ることができる。
【００４３】
なお、実施の形態１および２において、光路を折り曲げるために入射光を直角プリズムの反射面で全反射させたが、これに限られない。反射面に金属等の蒸着膜を施して、金属反射により光路を折り曲げてもよい。この場合においても、レンズ鏡筒の内面あるいは保持部材内面での反射を防止し、画質の劣化を抑制することができる。
【００４４】
なお、実施の形態１および２において、反射部材は直角プリズムを用いたが、これに限られない。反射ミラー等の他の反射部材であっても同様の効果を得ることができる。
【００４５】
なお、実施の形態１および２において、反射防止構造体は、反射部材の反射面に対応する範囲のレンズ鏡筒内面あるいは保持部材内面に形成されたが、これに限られない。反射防止構造体は、レンズ鏡筒あるいは保持部材の内面一帯に形成されてもよい。
【００４６】
なお、実施の形態１および２に係るデジタルカメラは、静止画だけでなく、動画の撮影が可能なデジタルビデオカメラでもよい。これにより、解像度の高い動画に対しても、不要光による画質の劣化を防止することができる。
【産業上の利用可能性】
【００４７】
本発明の撮像装置は、ＰＤＡ（Ｐｅｒｓｏｎａｌ  Ｄｉｇｉｔａｌ  Ａｓｓｉｓｔａｎｃｅ）、監視カメラやＷｅｂカメラ、車載カメラなどに適応することができ、特に高画質の撮影画像が要望される小型・薄型化されたデジタルビデオカメラ、カメラ機能つきの携帯電話端末に好適である。
【図面の簡単な説明】
【００４８】
【図１】実施の形態１に係るデジタルカメラの概略斜視図
【図２】実施の形態１に含まれるレンズ鏡筒の構成を示す概略図であり、（ａ）は上面図、（ｂ）は正面図、（ｃ）は底面図、（ｄ）は側面図
【図３】実施の形態１に含まれる反射光学ユニットを保持するレンズ鏡筒の概略拡大図
【図４】実施の形態１に含まれるレンズ鏡筒の内面に反射防止構造体が形成された反射光学ユニットを示す図であり、図４（ａ）は反射光学ユニットの概略断面図、図４（ｂ）はＡ部を拡大して示した拡大図、図４（ｃ）はＢ部の拡大図
【図５】（ａ）は、光学式ファインダの構成を示す概略図、（ｂ）は、保持部材により保持された光学式ファインダの構成を示す概略図
【図６】（ａ）は、反射部材を含む光学系を備えたデジタルカメラの概略構成図、（ｂ）は概略断面図
【図７】従来のデジタルカメラにおいて、図６（ｂ）中のＥ部のレンズ鏡筒を拡大した図
【符号の説明】
【００４９】
１  デジタルカメラ
２  光学式ファインダ
３  シャッターボタン
４  ストロボ発光部
５  開口部
１００  レンズ鏡筒
１１０  撮像素子
１５０  直角プリズム
２００  反射防止構造体
２０１  入射口
２０４  射出口
３０１  第１光学系
３０２  ポロプリズム
３０３  第２光学系
３１０  保持部材
Ｌ  ズーム光学系
Ｌ１  最物体側レンズ群
Ｌ２  反射光学ユニット
Ｌ３  像側レンズ群
【図１】
2007133314.tif 000003
【図２】
2007133314.tif 000004
【図３】
2007133314.tif 000005
【図４】
2007133314.tif 000006
【図５】
2007133314.tif 000007
【図６】
2007133314.tif 000008
【図７】
2007133314.tif 000009